(57)【要約】【課題】球通路内における遊技球の詰まりを解消し易くすることができる遊技機を提供すること。【解決手段】パチンコ遊技機は、第２整流部５０を有する。第２整流部５０では、底板５１と、第１壁と、第２壁と、軸部８３及び延出部８４と、によって第２通路５４が構成されている。第２通路５４において、軸部８３及び延出部８４は、底板５１の底面５１ａと所定の間隔を空けて対向している。また、延出部８４は、第２通路５４が延びる方向に沿って延びている。そして、底板５１の底面５１ａから延出部８４の下面までの距離は、延出部８４が変位していない第１状態Ｊ１である場合と、延出部８４が変位している第２状態Ｊ２である場合とで異なる。【選択図】図８
2018057747.tif 000002
【特許請求の範囲】
【請求項１】
遊技球を貯留する貯留部と、
前記貯留部と繋がった球通路と、を備え、
前記球通路は、底部と、一対の側壁と、天井部と、によって構成されており、
前記天井部は、前記球通路が延びる方向に沿って延びているとともに、第１状態と第２状態とを取り得るようになっており、
前記底部から前記天井部のうち所定部位までの距離は、前記天井部が前記第１状態である場合と、前記天井部が前記第２状態である場合とで異なることを特徴とする遊技機。
【請求項２】
前記天井部は、軸部と、該軸部から延びる可動部と、を含んで構成されており、
前記所定部位は、前記可動部であり、
前記第２状態は、前記軸部を支点として前記可動部が変位することにより、前記第１状態と比較して前記底部から前記可動部までの距離が変化した状態である請求項１に記載の遊技機。
【請求項３】
前記可動部には、前記軸部の延びる方向と交差する方向に沿って延びる第１可動部と、前記第１可動部とは逆方向に沿って延びる第２可動部と、がある請求項２に記載の遊技機。
【請求項４】
前記可動部は、前記球通路が延びる方向と交差する方向のうち、前記可動部が前記底部から離間する方向と、前記底部に接近する方向と、に変位可能である請求項２又は請求項３に記載の遊技機。
【発明の詳細な説明】
【技術分野】
【０００１】
本発明は、遊技機に関するものである。
【背景技術】
【０００２】
従来から、遊技機の一種であるパチンコ遊技機の中には、遊技球が通過する球通路を備えるとともに、球通路の上部に天井を設けることで、球通路の高さを遊技球２球未満の高さとしたものがある（例えば、特許文献１）。
【先行技術文献】
【特許文献】
【０００３】
【特許文献１】特開２０１６−１１２３５３号公報
【発明の概要】
【発明が解決しようとする課題】
【０００４】
しかしながら、特許文献１に記載したような遊技機では、球通路内で遊技球が噛み合ってしまい、遊技球が詰まってしまうことがあった。
本発明は、このような従来の技術に鑑みてなされたものであり、その目的は、球通路内における遊技球の詰まりを解消し易くすることができる遊技機を提供することにある。
【課題を解決するための手段】
【０００５】
上記課題を解決するための遊技機は、遊技球を貯留する貯留部と、前記貯留部と繋がった球通路と、を備え、前記球通路は、底部と、一対の側壁と、天井部と、によって構成されており、前記天井部は、前記球通路が延びる方向に沿って延びているとともに、第１状態と第２状態とを取り得るようになっており、前記底部から前記天井部のうち所定部位までの距離は、前記天井部が前記第１状態である場合と、前記天井部が前記第２状態である場合とで異なることを要旨とする。
【０００６】
上記遊技機について、前記天井部は、軸部と、該軸部から延びる可動部と、を含んで構成されており、前記所定部位は、前記可動部であり、前記第２状態は、前記軸部を支点として前記可動部が変位することにより、前記第１状態と比較して前記底部から前記可動部までの距離が変化した状態であってもよい。
【０００７】
上記遊技機について、前記可動部には、前記軸部の延びる方向と交差する方向に沿って延びる第１可動部と、前記第１可動部とは逆方向に沿って延びる第２可動部と、があってもよい。
【０００８】
上記遊技機について、前記可動部は、前記球通路が延びる方向と交差する方向のうち、前記可動部が前記底部から離間する方向と、前記底部に接近する方向と、に変位可能であってもよい。
【発明の効果】
【０００９】
本発明によれば、球通路内における遊技球の詰まりを解消し易くすることができる。
【図面の簡単な説明】
【００１０】
【図１】パチンコ遊技機の前方斜視図。
【図２】遊技盤を示す正面図。
【図３】中枠の後方斜視図。
【図４】図３における第１案内部周辺の拡大図。
【図５】中枠の平面図。
【図６】図５における第１案内部周辺の拡大図。
【図７】図５における７−７線断面図。
【図８】図７における第１案内部周辺の拡大図。
【図９】（ａ）は、蓋部材の前方斜視図、（ｂ）は、蓋部材の後方斜視図。
【図１０】（ａ）は、蓋部材の平面図、（ｂ）は、蓋部材の右側面図、（ｃ）は、蓋部材の背面図、（ｄ）は、蓋部材の左側面図、（ｅ）は、蓋部材の底面図、（ｆ）は、蓋部材の正面図。
【図１１】パチンコ遊技機の電気的構成を示すブロック図。
【発明を実施するための形態】
【００１１】
以下、パチンコ遊技機に具体化した一実施形態について説明する。この明細書において、上、下、左、右、前（表）、後（裏）の各方向は、パチンコ遊技機で遊技を行う遊技者から見たときの各方向を指すものとする。
【００１２】
まず、図１及び図２を用いて、パチンコ遊技機１０の機表側の構成を説明する。
図１に示すように、遊技機としてのパチンコ遊技機１０は、パチンコ遊技機１０の機体の外郭をなす外枠１１を備えている。パチンコ遊技機１０は、外枠１１を介して、遊技場などの遊技機設置設備（所謂、島設備）に設置される。ここで、遊技場の遊技機設置設備は、パチンコ遊技機１０に対して遊技球を供給する機構と、パチンコ遊技機１０から排出された遊技球を回収する機構とを有する遊技球循環機構を装備し、該遊技球循環機構により遊技球を供給するとともに回収して循環させるようになっている。パチンコ遊技機１０は、外枠１１の開口部の前面側に中枠１２を備えている。中枠１２は、外枠１１に対して開閉自在に組み付けられている。パチンコ遊技機１０は、中枠１２の前面側に前枠１３を備えている。前枠１３は、中枠１２に対して開閉自在に組み付けられている。
【００１３】
中枠１２及び前枠１３は、各種の遊技部品を備えている。パチンコ遊技機１０は、中枠１２及び前枠１３が開放されることの規制や、当該規制の解除を行うための施錠機構１４を備えている。パチンコ遊技機１０は、遊技盤１５を備えている。遊技盤１５は、中枠１２に組み付けられている。遊技盤１５は、遊技者から見て前面側に、遊技球が流下（転動）する遊技領域１６を備えている。
【００１４】
パチンコ遊技機１０は、前枠１３の前面側に、遊技盤１５の遊技領域１６に遊技球を発射させるときに遊技者によって操作される発射ハンドル１７を備えている。パチンコ遊技機１０は、前枠１３の前面側に、楽曲や効果音などの音声を出力して行う演出（以下、音声演出と示す）を実行可能に構成されたスピーカ１８を備えている。パチンコ遊技機１０は、前枠１３の前面側に、図示しない発光体を点灯、点滅、及び消灯して行う演出（以下、発光演出と示す）を実行可能に構成された装飾ランプ１９を備えている。
【００１５】
パチンコ遊技機１０は、前枠１３の前面側に、遊技媒体としての遊技球を貯留する上皿２０を備えている。パチンコ遊技機１０は、上皿２０から溢れた遊技球を貯留する下皿２１を備えている。
【００１６】
図２に示すように、パチンコ遊技機１０は、情報表示部２２を備えている。情報表示部２２は、遊技盤１５において、遊技者から視認可能な位置に配設されている。情報表示部２２では、パチンコ遊技機１０の制御状態を示す各種の情報が報知される。
【００１７】
情報表示部２２は、特別図柄表示部２２ａを備えている。特別図柄表示部２２ａは、所定の図柄を変動表示させるとともに、最終的に特別図柄を確定停止表示させる特別図柄変動ゲームを表示する。以下の説明では、特別図柄変動ゲームを略して「特別ゲーム」と示す。特別図柄は、後述する大当り抽選の結果を報知するための図柄である。特別図柄表示部２２ａにおいて導出可能な特別図柄には、大当り表示結果としての大当り図柄と、はずれ表示結果としてのはずれ図柄とが少なくともある。特別ゲームにおいて大当り図柄が導出された場合、遊技者は、大当りを認識可能である。特別ゲームにおいてはずれ図柄が導出された場合、遊技者は、はずれを認識可能である。本実施形態のパチンコ遊技機１０では、大当り抽選に当選すると、特別ゲームにおいて大当り図柄が導出された後、該大当りの特別ゲームの終了後に、大当り遊技が付与される。詳しくは後述するが、大当り遊技は、所定の入賞口が開放され、遊技者が多数の賞球やその他の特典を獲得し得るため、遊技者にとって極めて有利な状態である。
【００１８】
情報表示部２２は、特別保留表示部２２ｂを備えている。特別保留表示部２２ｂは、始動条件が成立したが未だ実行条件が成立していないことで、その実行が保留されている特別ゲームの回数を認識可能に表示する。以下の説明では、保留中の特別ゲームの回数を「特別保留数」と示す。例えば、特別保留数の最大値は「４」である。
【００１９】
情報表示部２２は、普通図柄表示部２２ｃを備えている。普通図柄表示部２２ｃは、所定の図柄を変動表示させるとともに、最終的に普通図柄を導出させる普通図柄変動ゲームを表示する。普通図柄は、後述する普通当り抽選の結果を報知するための図柄である。以下の説明では、普通図柄変動ゲームを略して「普通ゲーム」と示す。普通図柄表示部２２ｃにおいて導出可能な普通図柄には、普通当り図柄と、普通はずれ図柄とが少なくともある。普通ゲームにおいて普通当り図柄が導出された場合、遊技者は、普通当りを認識可能である。普通ゲームにおいて普通はずれ図柄が導出された場合、遊技者は、普通はずれを認識可能である。本実施形態では、普通当り抽選に当選すると、普通ゲームにおいて普通当り図柄が導出された後、該普通当りの普通ゲームの終了後に、普通当り遊技が付与される。詳しくは後述するが、普通当り遊技は、遊技者が特別ゲームの始動条件を成立させ易くなることから、遊技者にとって有利な状態である。
【００２０】
情報表示部２２は、普通保留表示部２２ｄを備えている。普通保留表示部２２ｄは、始動条件が成立したが未だ実行条件が成立していないことで、その実行が保留されている普通ゲームの回数を認識可能に表示する。以下の説明では、保留中の普通ゲームの回数を「普通保留数」と示す。例えば、普通保留数の最大値は「４」である。
【００２１】
パチンコ遊技機１０は、演出表示装置２３を備えている。例えば、演出表示装置２３は、液晶ディスプレイや有機ＥＬディスプレイなどの表示装置であってもよく、プロジェクタとスクリーンとを含んで構成された表示装置であってもよい。演出表示装置２３は、画像が表示される画像表示部２３ａを備えている。演出表示装置２３は、演出の１つとして、所定のキャラクタや文字を模した絵柄を表示する演出（以下、表示演出と示す）を実行する。例えば、演出表示装置２３は、表示演出の１つとして、演出図柄を複数列で変動表示させるとともに、最終的に演出図柄の組み合わせを導出させる演出図柄変動ゲームを実行可能である。また、演出図柄変動ゲームでは、リーチ演出や予告演出といった表示演出が行われる場合がある。以下の説明では、演出図柄変動ゲームを略して「演出ゲーム」と示す。
【００２２】
パチンコ遊技機１０は、遊技盤１５において、演出表示装置２３の下方に、遊技領域１６に開口している第１始動入賞口２４を備えている。第１始動入賞口２４は、常時、遊技球を入球させることができるように開口されている。なお、以下の説明では、入賞口に遊技球が入球することを「入賞」と示す場合がある。パチンコ遊技機１０は、第１始動入賞口２４に入球した遊技球を検知する第１始動センサＳＥ１を備えている（図１１に示す）。本実施形態において、例えば、第１始動センサＳＥ１は、第１始動入賞口２４に入球した遊技球を遊技盤１５の裏側へ導く図示しない通路に設けられている。本実施形態では、遊技球が第１始動センサＳＥ１で検知されると、特別ゲームの始動条件が成立し得るとともに、賞球の払出条件が成立する。
【００２３】
パチンコ遊技機１０は、遊技盤１５において、第１始動入賞口２４の右方に、遊技領域１６に開口している第２始動入賞口２５を備えている。パチンコ遊技機１０は、第２始動入賞口２５に入球した遊技球を検知する第２始動センサＳＥ２を備えている（図１１に示す）。例えば、第２始動センサＳＥ２は、第２始動入賞口２５に入球した遊技球を遊技盤１５の裏側へ導く図示しない通路に設けられている。本実施形態では、遊技球が第２始動センサＳＥ２で検知されると、特別ゲームの始動条件が成立し得るとともに、賞球の払出条件が成立する。
【００２４】
パチンコ遊技機１０は、遊技盤１５において、第２始動入賞口２５を開閉する第１可変部材２６を備えている。本実施形態において、第１可変部材２６は、遊技球を第２始動入賞口２５へ入球させ易い開状態と、遊技球を第２始動入賞口２５へ入球させ難い閉状態と、に動作可能である。なお、閉状態は、遊技球を第２始動入賞口２５へ入球させることができない状態であってもよい。即ち、第１可変部材２６は、遊技球を第２始動入賞口２５に入球させることができる開状態と、遊技球を第２始動入賞口２５へ入球させることができない閉状態と、に動作可能であってもよい。パチンコ遊技機１０は、第１可変部材２６を開状態と閉状態とに動作させる第１アクチュエータＡ１を備えている（図１１に示す）。第１可変部材２６は、普通当り遊技において開状態に動作される。このため、普通当り遊技では、特別ゲームの始動条件を成立させ易くなる。
【００２５】
パチンコ遊技機１０は、遊技盤１５において、演出表示装置２３の右下方に、遊技領域１６に開口している大入賞口２７を備えている。パチンコ遊技機１０は、大入賞口２７に入球した遊技球を検知するカウントセンサＳＥ３を備えている（図１１に示す）。例えば、カウントセンサＳＥ３は、大入賞口２７に入球した遊技球を遊技盤１５の裏側へ導く図示しない通路に設けられている。本実施形態では、遊技球がカウントセンサＳＥ３で検知されると、賞球の払出条件が成立する。
【００２６】
パチンコ遊技機１０は、遊技盤１５において、大入賞口２７を開閉する第２可変部材２８を備えている。第２可変部材２８は、所謂大入賞口扉である。本実施形態において、第２可変部材２８は、遊技球を大入賞口２７へ入球させ易い開状態と、遊技球を大入賞口２７へ入球させ難い閉状態と、に動作可能である。なお、閉状態は、遊技球を大入賞口２７へ入球させることができない状態であってもよい。即ち、第２可変部材２８は、遊技球を大入賞口２７に入球させることができる開状態と、遊技球を大入賞口２７へ入球させることができない閉状態と、に動作可能であってもよい。パチンコ遊技機１０は、第２可変部材２８を開状態と閉状態とに動作させる第２アクチュエータＡ２を備えている（図１１に示す）。第２可変部材２８は、大当り遊技において開状態に動作される。
【００２７】
パチンコ遊技機１０は、遊技盤１５において、大入賞口２７の上方に、遊技球が通過（入球）可能なゲート２９を備えている。ゲート２９は、ゲート２９を通過する遊技球を検知するゲートセンサＳＥ４を備えている（図１１に示す）。本実施形態では、遊技球がゲートセンサＳＥ４で検知されると、普通ゲームの始動条件が成立し得る。
【００２８】
次に、図３〜図１０を用いて、パチンコ遊技機１０の機裏側の構成を説明する。なお、図３〜図８では、説明の便宜上、遊技盤１５や演出表示装置２３などの一部の遊技部品を省略して図示している。
【００２９】
まず、パチンコ遊技機１０の機裏側の構成の概要について説明する。
図３及び図４に示すように、パチンコ遊技機１０は、中枠１２の裏側の上部において、遊技場の遊技機設置設備から供給される遊技球を貯留する貯留部３０を有する。パチンコ遊技機１０は、中枠１２の裏側の上部であって、貯留部３０の左方において、貯留部３０に貯留された遊技球を前後方向において整流する第１整流部４０を有する。パチンコ遊技機１０は、中枠１２の裏側の上部であって、第１整流部４０の左方において、第１整流部４０により整流された遊技球を上下方向において整流する第２整流部５０を有する。パチンコ遊技機１０は、中枠１２の裏側であって、第２整流部５０の下方において、第２整流部５０により整流された遊技球を下方に案内する案内部６０を有する。パチンコ遊技機１０は、案内部６０により案内された遊技球を上皿２０又は下皿２１に払い出す払出動作を行う払出ユニット７０を有する。払出ユニット７０は、図示しないアクチュエータの動作などにより、遊技球を払い出す払出動作が可能である。
【００３０】
以下、各部について詳しく説明する。まず、貯留部３０について説明する。
図５に示すように、貯留部３０は、前後方向及び左右方向に沿って延びる底板３１を有する。貯留部３０は、底板３１の右端部３０ａにおいて底板３１から上方向に向かって立設された第１壁３２と、底板３１の前端部３０ｂにおいて底板３１から上方向に向かって立設された第２壁３３と、底板３１の後端部３０ｃにおいて底板３１から上方向に向かって立設された第３壁３４と、を有する。第１壁３２の前端部３２ａは、第２壁３３の右端部３３ａと接続されている。また、第１壁３２の後端部３２ｂは、第３壁３４の右端部３４ａと接続されている。貯留部３０は、左右方向に直交する平面で切断したと仮定したときの断面が上方に開口する略コの字型である。このため、貯留部３０は、底板３１、第１壁３２、第２壁３３、及び第３壁３４に囲まれた貯留領域（空間）３５において、遊技球を貯留可能である。また、貯留部３０は、左端部３０ｄ側が開口されている。
【００３１】
貯留部３０において、第１壁３２の内面３２ｃ及び第２壁３３の内面３３ｂは、直交している。また、貯留部３０において、第１壁３２の内面３２ｃ及び第３壁３４の内面３４ｂは、直交している。そして、貯留部３０において、第２壁３３の内面３３ｂ及び第３壁３４の内面３４ｂは平行である。言い換えれば、貯留領域３５は、平面視したときの形状が略長方形状である。
【００３２】
貯留部３０の後端部３０ｃにおいて、底板３１には、左右方向に沿って延びる貫通孔３１ａが設けられている。本実施形態において、貫通孔３１ａは、複数（例えば２つ）設けられている。貫通孔３１ａは、平面視したときの形状が略長方形状である。貫通孔３１ａにおいて、長方形の短辺の長さは、遊技球１球の直径よりも短い。より詳しくは、貫通孔３１ａにおいて、長方形の短辺の長さは、遊技球１球の半径よりも短い。言い換えれば、貫通孔３１ａは、遊技球が通過しない大きさの孔である。
【００３３】
図７に示すように、貯留部３０の底板３１の底面３１ｂは、右端部３０ａから左端部３０ｄに向かって下方に傾斜している。また、図示しないが、貯留部３０の底板３１の底面３１ｂは、前端部３０ｂから後端部３０ｃに向かって下方に傾斜している。貯留部３０の底板３１、第１壁３２及び第２壁３３は、何れも無色透明な樹脂製（例えば、ポリカーボネート）である。
【００３４】
次に、第１整流部４０について説明する。
図５に示すように、第１整流部４０は、前後方向及び左右方向に沿って延びる底板４１を有する。第１整流部４０は、底板４１の前端部４０ａにおいて底板４１から上方向に向かって立設された第１壁４２と、底板４１の後端部４０ｂにおいて底板４１から上方向に向かって立設された第２壁４３と、を有する。このため、第１整流部４０は、底板４１、第１壁４２、及び第２壁４３に囲まれた第１領域（空間）４４において、遊技球を貯留可能である。
【００３５】
底板４１は、前端部４０ａ側に、略平面状の平面部４１ａを有する。平面部４１ａは、前端部４０ａ側から後端部４０ｂ側に向かって下方に傾斜している。また、底板４１は、後端部４０ｂ側に、下方に凹む凹部４１ｂを有する。凹部４１ｂは、左右方向と直交する平面で切断したと仮定したときの断面が、上方に開口する略コの字型である。言い換えれば、第１整流部４０では、凹部４１ｂにより、遊技球が転動可能な第１通路４５が構成されている。凹部４１ｂは、全体に略左右方向に延びている。即ち、第１通路４５は、遊技球が略左右方向に転動可能な通路である。好ましくは、凹部４１ｂの前後方向の長さは、遊技球１球の直径以上遊技球２球の直径未満である。より好ましくは、凹部４１ｂの前後方向の長さは、遊技球１球の直径よりも僅かに長い。なお、凹部４１ｂの前後方向の長さとは、即ち、第１通路４５の幅に相当する。凹部４１ｂの底面４１ｃは、右端部４０ｃ側から左端部４０ｄ側に向かって下方に傾斜している。言い換えれば、第１通路４５の底面は、右方から左方に向かって傾斜している。また、第１整流部４０は、右端部４０ｃ側及び左端部４０ｄ側が開口されている。
【００３６】
第１壁４２は、右端部４０ｃ側から左端部４０ｄ側に向かうにつれて、第２壁４３に接近するように構成されている。言い換えれば、第１壁４２の内面４２ａと第２壁４３の内面４３ａとの距離は、右端部４０ｃ側から左端部４０ｄ側に向かうにつれて短くなっている。詳しくは後述するが、本実施形態では、平面部４１ａを転動する遊技球が第１通路４５に流入することにより、遊技球が前後方向に２球以上並ばないように整流される。
【００３７】
底板４１の後端部４０ｂには、左右方向に沿って延びる貫通孔４１ｄが設けられている。貫通孔４１ｄは、平面視したときの形状が略長方形状である。貫通孔４１ｄにおいて、長方形の短辺の長さは、遊技球１球の直径よりも短い。より詳しくは、貫通孔４１ｄにおいて、長方形の短辺の長さは、遊技球１球の半径よりも短い。言い換えれば、貫通孔４１ｄは、遊技球が通過しない大きさの孔である。第１整流部４０の底板４１、第１壁４２及び第２壁４３は、何れも無色透明な樹脂製（例えば、ポリカーボネート）である。
【００３８】
次に、第２整流部５０について説明する。
図６に示すように、第２整流部５０は、底板５１を有する。第２整流部５０は、底板５１の前端部５０ａにおいて底板５１から上方向に向かって立設された第１壁５２と、底板５１の後端部５０ｂにおいて底板５１から上方向に向かって立設された第２壁５３と、を有する。第１壁５２及び第２壁５３は、一対の側壁に相当する。第２整流部５０は、左右方向に直交する平面で切断したと仮定したときの断面が上方に開口する略コの字型である。言い換えれば、第２整流部５０においては、底板５１、第１壁５２、及び第２壁５３により、遊技球が転動可能な第２通路５４が構成されている。本実施形態において、第２通路５４は、球通路に相当する。第２整流部５０は、底板５１の上方に、第２通路５４を覆う蓋部材８０を有する。
【００３９】
底板５１は、全体として略左右方向に延びている。即ち、第２通路５４は、遊技球が略左右方向に転動可能な通路である。また、底板５１は、前後方向の長さが略一定である。好ましくは、底板５１の前後方向の長さは、遊技球１球の直径以上遊技球２球の直径未満である。より好ましくは、底板５１の前後方向の長さは、遊技球１球の直径よりも僅かに長い。また、第１壁５２の内面５２ａ及び第２壁５３の内面５３ａは、互いに平行に延びている。そして、好ましくは、第１壁５２の内面５２ａ及び第２壁５３の内面５３ａの距離は、遊技球１球の直径以上遊技球２球の直径未満である。より好ましくは、第１壁５２の内面５２ａ及び第２壁５３の内面５３ａの距離は、遊技球１球の直径よりも僅かに長い。第１壁５２の内面５２ａ及び第２壁５３の内面５３ａの距離は、第２通路５４の幅に相当する。即ち、第２通路５４は、幅方向に遊技球が２球以上並ばない通路である。
【００４０】
第２整流部５０の第２通路５４は、遊技球の進行方向に対して交差する方向に屈曲する屈曲部５４ａを有する。具体的に、第２通路５４は、左右方向（遊技球の進行方向）に対して前後方向に一部が屈曲している。言い換えれば、第２通路５４は、通路の一部が前後方向に蛇行する形状である。具体的に、第２整流部５０の第１壁５２は、前方に向かって凹む凹部５２ｂを有する。一方、第２整流部５０の第２壁５３は、前方に向かって突出する凸部５３ｂを有する。凹部５２ｂ及び凸部５３ｂは、第２通路５４を挟んで互いに対向する位置に設けられている。また、凹部５２ｂ及び凸部５３ｂについて、上下方向に直交する平面で切断したと仮定したときの断面は、切断する位置（高さ）にかかわらず略同一の形状となっている。即ち、凹部５２ｂは、第１壁５２の上端から下端まで同様に前方に向かって凹んでいる。また、凸部５３ｂは、第２壁５３の上端から下端まで同様に前方に向かって突出している。
【００４１】
図８に示すように、第２整流部５０の底板５１の底面５１ａは、右端部５０ｃ側から左端部５０ｄ側に向かって下方に傾斜している。第２整流部５０の底板５１の底面５１ａには、右端部５０ｃ側と左端部５０ｄ側とを比較して左端部５０ｄ側が低い段差５５が設けられている。言い換えれば、段差５５は、第２通路５４の上流側よりも下流側の方が低くなっている。本実施形態において、段差５５は複数（例えば３つ）設けられている。
【００４２】
第２整流部５０の底板５１には、左右方向に沿って延びる貫通孔５１ｂが設けられている。貫通孔５１ｂは、平面視したときの形状が略長方形状である。貫通孔５１ｂにおいて、長方形の短辺の長さは、遊技球１球の直径よりも短い。より詳しくは、貫通孔５１ｂにおいて、長方形の短辺の長さは、遊技球１球の半径よりも短い。言い換えれば、貫通孔５１ｂは、遊技球が通過しない大きさの孔である。第２通路５４は、右端部５０ｃ側において、右方に開口されている。第２通路５４は、左端部５０ｄ側において、下方に開口する開口部５６を有する。
【００４３】
第２整流部５０の底板５１、第１壁５２、及び第２壁５３は、何れも無色透明な樹脂製（例えば、ポリカーボネート）である。
図４に示すように、第２整流部５０の第１壁５２は、蓋部材８０を取り付けるための第１壁取付部５２ｃと、第２壁取付部５２ｄと、を有する。また、蓋部材８０は、第１壁５２に支持される第１支持部８１を有する。第１支持部８１は、第１壁取付部５２ｃに取り付けられる第１蓋取付部８１ａと、第２壁取付部５２ｄに取り付けられる第２蓋取付部８１ｂと、を有する。本実施形態において、第１壁取付部５２ｃは、上下方向に貫通する孔である。また、第１蓋取付部８１ａは、第１壁取付部５２ｃと係合するフック状の部材である。本実施形態では、第１蓋取付部８１ａが第１壁取付部５２ｃに係合されている。第２壁取付部５２ｄ及び第２蓋取付部８１ｂは、ネジ孔である。本実施形態において、第２壁取付部５２ｄは複数（例えば２つ）ある。また、第２蓋取付部８１ｂは、第２壁取付部５２ｄの数に応じた数（例えば２つ）ある。本実施形態では、第２壁取付部５２ｄ及び第２蓋取付部８１ｂの中心を一致させた状態でネジ止めされている。
【００４４】
また、第２整流部５０の第２壁５３は、蓋部材８０を取り付けるための第３壁取付部５３ｃを有する。また、蓋部材８０は、第２壁５３に支持される第２支持部８２を有する。第２支持部８２は、第３壁取付部５３ｃに取り付けられる第３蓋取付部８２ａを有する。本実施形態において、第３蓋取付部８２ａは、前後方向に貫通する孔である。また、第３壁取付部５３ｃは、第３蓋取付部８２ａと係合するフック状の部材である。本実施形態において、第３壁取付部５３ｃは複数（例えば２つ）ある。また、第３蓋取付部８２ａは、第３壁取付部５３ｃの数に応じた数（例えば２つ）ある。本実施形態では、第３蓋取付部８２ａが第３壁取付部５３ｃに係合されている。以上により、本実施形態において、蓋部材８０は、第１壁５２及び第２壁５３に取り付けられている。
【００４５】
図９（ａ），図９（ｂ）及び図１０（ａ）〜図１０（ｆ）に示すように、蓋部材８０は、第１支持部８１と第２支持部８２との間に、前後方向に沿って延びる略板状の軸部８３を有する。軸部８３は、蓋部材８０の左右方向の中心よりも右方に位置している。また、蓋部材８０は、軸部８３から延びる略板状の延出部８４を有する。本実施形態の延出部８４には、軸部８３から右方向に向かって延びる第１延出部８５と、軸部８３から左方向に向かって延びる第２延出部８６と、がある。言い換えれば、第１延出部８５は、基端部８５ａが軸部８３に接続されており、且つ軸部８３の延びる方向と交差する方向に沿って延びている。第２延出部８６は、基端部８６ａが軸部８３に接続されており、且つ軸部８３の延びる方向と交差する方向であって、且つ第１延出部８５が延びる方向とは逆方向に沿って延びている。本実施形態において、第１支持部８１，第２支持部８２，軸部８３及び延出部８４は、一体の部材として構成されている。
【００４６】
図６に示すように、第１延出部８５は、前後方向の幅が、平面視において第１壁５２の内面５２ａと第２壁５３の内面５３ａとの距離よりも短い。具体的には、第１延出部８５は、その前端が、平面視において第１壁５２の内面５２ａと一定の間隔を有した状態で延びている。また、第１延出部８５は、その後端が、平面視において第２壁５３の内面５３ａと一定の間隔を有した状態で延びている。
【００４７】
また、第２延出部８６は、前後方向の幅が、平面視において第１壁５２の内面５２ａと第２壁５３の内面５３ａとの距離よりも短い。具体的には、第２延出部８６は、その前端が、平面視において第１壁５２の内面５２ａと一定の間隔を有した状態で延びている。また、第２延出部８６は、その後端が、平面視において第２壁５３の内面５３ａと一定の間隔を有した状態で延びている。
【００４８】
図８に示すように、軸部８３及び延出部８４は、蓋部材８０が第１壁５２及び第２壁５３に取り付けられている状態において、底板５１の底面５１ａに対向するように構成されている。言い換えれば、軸部８３及び延出部８４は、第２通路５４の天井として機能するように構成されている。本実施形態において、蓋部材８０の軸部８３及び延出部８４は、天井部に相当する。また、軸部８３及び延出部８４は、蓋部材８０が第１壁５２及び第２壁５３取り付けられている状態において、第２通路５４が延びる方向に沿って延びている。
【００４９】
第１延出部８５の下面８５ｂは、基端部８５ａから先端部８５ｃに向かうにつれて上方に傾斜している。ここで、第１延出部８５の下面８５ｂが傾斜する角度は、底板５１の底面５１ａが傾斜する角度よりも大きい。このため、蓋部材８０が第１壁５２及び第２壁５３に取り付けられた状態において、第１延出部８５の下面８５ｂと底板５１の底面５１ａとの距離は、先端部８５ｃから基端部８５ａに向かうにつれて短くなっている。言い換えれば、第２通路５４の高さは、第１延出部８５の先端部８５ｃから基端部８５ａに向かうにつれて低くなっている。
【００５０】
第２延出部８６の下面８６ｂは、基端部８６ａから先端部８６ｃに向かうにつれて下方に傾斜している。ここで、第２延出部８６の下面８６ｂが傾斜する角度は、底板５１の底面５１ａが傾斜する角度よりも大きい。このため、蓋部材８０が第１壁５２及び第２壁５３に取り付けられた状態において、第２延出部８６の下面８６ｂと底板５１の底面５１ａとの距離は、基端部８６ａから先端部８６ｃに向かうにつれて短くなっている。言い換えれば、第２通路５４の高さは、第２延出部８６の基端部８６ａから先端部８６ｃに向かうにつれて低くなっている。また、第１延出部８５の下面８５ｂと底板５１の底面５１ａとの距離は、第２延出部８６の下面８６ｂと底板５１の底面５１ａとの距離よりも長い。即ち、第２通路５４の高さは、該第２通路５４の上流側から下流側に向かうにつれて低くなっている。
【００５１】
本実施形態において、第１延出部８５の先端部８５ｃにおける下面８５ｂと底板５１の底面５１ａとの距離は、遊技球２球の直径以上の長さである。第２延出部８６の先端部８６ｃにおける下面８６ｂと底板５１の底面５１ａとの距離は、遊技球１球よりも僅かに長い長さである。なお、詳しくは後述するが、本実施形態の延出部８４は、外力により変位する場合がある。この場合、第１延出部８５の下面８５ｂと底板５１の底面５１ａとの距離や、第２延出部８６の下面８６ｂと底板５１の底面５１ａとの距離が変化することがある。例えば、第１延出部８５の下面８５ｂと底板５１の底面５１ａとの距離が、第２延出部８６の下面８６ｂと底板５１の底面５１ａとの距離と同一、又は短くなることがある。
【００５２】
図９（ａ），図９（ｂ）及び図１０（ａ）〜図１０（ｆ）に示すように、第１延出部８５は、第１延出部８５の前端部８５ｄのうち基端部８５ａ側から上方向に向かって立設された略板状の第１側壁８５ｅを有する。また、第１延出部８５は、第１延出部８５の後端部８５ｆのうち基端部８５ａ側から上方向に向かって立設された第２側壁８５ｇを有する。このため、第１延出部８５において、前端部８５ｄ及び後端部８５ｆのうち基端部８５ａ側の上下方向の厚さは、第１延出部８５の先端部８５ｃの上下方向の厚さよりも厚い。第１側壁８５ｅ及び第２側壁８５ｇは、互いに平行に延びる略板状の部材である。第１側壁８５ｅの上端８５ｈ及び第２側壁８５ｇの上端８５ｉは、何れも水平である。
【００５３】
図６に示すように、第２延出部８６は、第２延出部８６の基端部８６ａから先端部８６ｃの間に、屈曲する屈曲部８６ｄを有する。第２延出部８６の屈曲部８６ｄは、第１壁５２の凹部５２ｂ及び第２壁５３の凸部５３ｂに沿って屈曲している。つまり、第２延出部８６は、第１壁５２の凹部５２ｂ及び第２壁５３の凸部５３ｂに沿って延びている。第２延出部８６は、上面に、第２延出部８６の延出方向に沿って延びる溝８６ｅを有する。本実施形態において、第２延出部８６は、平行に延びる２本の溝８６ｅを有する。溝８６ｅは、第２延出部８６の上面において、下方に凹むように構成されている。
【００５４】
図８に示すように、本実施形態の蓋部材８０は、弾性を有する弾性部材である。また、蓋部材８０は、不透明な樹脂製であって、第２整流部５０の底板５１、第１壁５２、及び第２壁５３などに用いられる樹脂よりも滑り易い樹脂製（例えば、ポリアセタール）である。そして、延出部８４は、外力により、軸部８３を支点として上下方向に変位可能である。つまり、延出部８４は、第２通路５４が延びる方向と交差する方向のうち、底板５１の底面５１ａから離間する方向（矢印Ｙ１に示す）と、底板５１の底面５１ａに接近する方向（矢印Ｙ２に示す）と、に変位可能である。なお、以下の説明では、延出部８４が変位していない状態を「第１状態Ｊ１」と示す一方で、延出部８４が変位している状態を「第２状態Ｊ２」と示す。換言すれば、軸部８３及び延出部８４は、延出部８４が変位していない第１状態Ｊ１と、軸部８３を支点として延出部８４が変位している第２状態Ｊ２と、を取り得る。本実施形態において、第２状態Ｊ２には、第１状態Ｊ１よりも第１延出部８５の先端部８５ｃが底板５１の底面５１ａから離間し、第２延出部８６の先端部８６ｃが底板５１の底面５１ａに接近した状態を含む。また、第２状態Ｊ２には、第１状態Ｊ１よりも第１延出部８５の先端部８５ｃが底板５１の底面５１ａに接近し、第２延出部８６の先端部８６ｃが底板５１の底面５１ａから離間した状態を含む。本実施形態において、延出部８４は、可動部に相当する。また、本実施形態において、第１延出部８５は第１可動部に相当し、第２延出部８６は第２可動部に相当する。
【００５５】
本実施形態において、軸部８３及び延出部８４が第１状態Ｊ１である場合における第１延出部８５の下面８５ｂと底板５１の底面５１ａとの距離は、軸部８３及び延出部８４が第２状態Ｊ２である場合における第１延出部８５の下面８５ｂと底板５１の底面５１ａとの距離とは異なる。また、軸部８３及び延出部８４が第１状態Ｊ１である場合における第２延出部８６の下面８６ｂと底板５１の底面５１ａとの距離は、軸部８３及び延出部８４が第２状態Ｊ２である場合における第２延出部８６の下面８６ｂとの底板５１の底面５１ａとの距離とは異なる。即ち、本実施形態において、延出部８４の下面と底板５１の底面５１ａとの距離は、軸部８３及び延出部８４が第１状態Ｊ１である場合と、第２状態Ｊ２である場合とで異なる。本実施形態において、第１延出部８５の下面８５ｂ及び第２延出部８６の下面８６ｂは、それぞれ所定部位に相当する。
【００５６】
蓋部材８０は、第２通路５４を転動する遊技球の進行を妨げる制限部材８７を有する。制限部材８７は、蓋部材８０において、軸部８３及び延出部８４よりも左方に設けられている。即ち、軸部８３及び延出部８４よりも第２通路５４の下流側に設けられている。制限部材８７は、該制限部材８７の一部が第２通路５４に突出する第１状態Ｊ３（制限状態）と、第２通路５４に突出しない第２状態Ｊ４（非制限状態）とに変位可能である。
【００５７】
次に、案内部６０について説明する。
図３に示すように、案内部６０は、上下方向に沿って延びる略板状の後壁６１を有する。
【００５８】
図７に示すように、案内部６０は、後壁６１と所定の間隔を空けて平行に延びる前壁６２を有する。後壁６１の内面と前壁６２の内面とは、遊技球１球の直径よりも僅かに長い間隔を空けて平行に延びている。案内部６０は、後壁６１と前壁６２とを左端部で接続する左側壁６３を有する。案内部６０は、後壁６１と前壁６２とを右端部で接続する右側壁６４を有する。左側壁６３の内面と右側壁６４の内面とは、遊技球１球の直径よりも僅かに長い間隔を有する。言い換えれば、案内部６０においては、後壁６１、前壁６２、左側壁６３、及び右側壁６４により、遊技球が上下方向に転動可能な第３通路６５が構成されている。第３通路６５は、上方に開口部６５ａを有する。
【００５９】
第３通路６５は、遊技球の進行方向に対して交差する方向に屈曲する屈曲部６５ｂを有する。具体的に、第３通路６５は、上下方向（遊技球の進行方向）に対して左右方向に一部が屈曲している。本実施形態において、第３通路６５は、複数の屈曲部６５ｂを有する。言い換えれば、第３通路６５は、上方の開口部６５ａから下方に向かうにつれて左右方向に蛇行する形状である。具体的に、左側壁６３及び右側壁６４は、左方又は右方に向かって凹む凹部６０ａを有する。また、左側壁６３及び右側壁６４は、左方又は右方に向かって突出する凸部６０ｂを有する。凹部６０ａ及び凸部６０ｂは、第３通路６５を挟んで互いに対向する位置に設けられている。具体的に、左方に向かって凹む凹部６０ａに対向する位置には、左方に向かって突出する凸部６０ｂが設けられている。また、右方に向かって凹む凹部６０ａに対向する位置には、右方に向かって突出する凸部６０ｂが設けられている。また、凹部６０ａ及び凸部６０ｂについて、前後方向に直交する平面で切断したと仮定したときの断面は、切断する位置にかかわらず略同一の形状となっている。即ち、凹部６０ａは、左側壁６３及び右側壁６４の前端から後端まで同様に左方又は右方に向かって凹んでいる。また、凸部６０ｂは、左側壁６３及び右側壁６４の前端から後端まで同様に左方又は右方に向かって突出している。
【００６０】
案内部６０の後壁６１、前壁６２、左側壁６３、及び右側壁６４は、何れも無色透明な樹脂製（例えば、ポリカーボネート）である。
以下、貯留部３０、第１整流部４０、第２整流部５０、及び案内部６０の関係について説明する。
【００６１】
図３に示すように、貯留部３０の貯留領域３５と第１整流部４０の第１領域４４とは、連通されている。そして、貯留領域３５と第１領域４４との連通部において、貯留領域３５の底面は、第１領域４４の底面と同一の高さ、又は第１領域４４の底面よりも高い。このため、遊技球は、貯留領域３５から第１領域４４に転動可能である。また、第１整流部４０の第１領域４４と第１整流部４０の第１通路４５とは、連通されている。そして、第１領域４４と第１通路４５との連通部において、第１領域４４の底面は、第１通路４５の底面よりも高い。このため、遊技球は、第１領域４４から第１通路４５に転動可能である。
【００６２】
また、第１整流部４０の第１通路４５と第２整流部５０の第２通路５４とは、連通されている。そして、第１通路４５と第２通路５４との連通部において、第１通路４５の底面は、第２通路５４の底面と同一の高さ、又は第２通路５４の底面よりも高い。このため、遊技球は、第１通路４５から第２通路５４に転動可能である。
【００６３】
図７に示すように、第２整流部５０の第２通路５４と案内部６０の第３通路６５とは、連通されている。そして、遊技球は、第２通路５４の底面において下方に開口された開口部５６から第３通路に転動可能である。以上のように、本実施形態において、貯留部３０、第１整流部４０、第２整流部５０、及び案内部６０は繋がっている。
【００６４】
また、図示しないが、本実施形態において、中枠１２は、パチンコ遊技機１０の背面側に、遊技盤１５や遊技盤１５の背面側に配設される各種の遊技部品を保護するための保護ケースを有する。保護ケースの外縁は、貯留部３０や第１整流部４０、第２整流部５０、案内部６０に沿って形成されている。具体的に、保護ケースの上端は、貯留部３０の底板３１、第１整流部４０の底板４１、及び第２整流部５０の底板５１に沿って形成されている。また、保護ケースの左端は、案内部６０の右側壁６４に沿って形成されている。
【００６５】
次に、パチンコ遊技機１０の遊技状態について説明する。
パチンコ遊技機１０は、大当り確率が異なる遊技状態として、低確率状態と高確率状態とを備えている。大当り確率は、内部抽選（大当り抽選）において大当りに当選する確率である。高確率状態は、低確率状態に比して、大当り確率が高い遊技状態である。高確率状態では、大当り抽選に当選する可能性が低確率状態に比して高まることから、遊技者にとって有利な遊技状態となる。高確率状態は、所謂「確率変動状態（確変状態）」である。
【００６６】
パチンコ遊技機１０は、遊技球の発射個数に対する賞球個数の割合が異なる遊技状態として、低ベース状態と高ベース状態とを備えている。高ベース状態は、低ベース状態に比して、遊技球が第２始動入賞口２５に入賞する確率が高い遊技状態である。高ベース状態は、所謂「電サポ状態」であり、低ベース状態は、所謂「非電サポ状態」である。高ベース状態では、遊技球が第２始動入賞口２５に入賞する確率が高まることから、遊技者にとって有利な遊技状態（入球容易状態）となる。
【００６７】
例えば、高ベース状態は、次に説明する３つの制御のうち任意に選択された１の制御を行うことにより、又は複数の制御を組み合わせて行うことにより実現できる。１つ目の制御は、普通図柄変動ゲームの変動時間を、低ベース状態のときよりも短くする普通図柄の変動時間短縮制御である２つ目の制御は、普通図柄の当り抽選に当選する確率（普通当り確率）を、低ベース状態のときよりも高確率に変動させる普通図柄の確率変動制御である。３つ目の制御は、１回の普通当り遊技における第１可変部材２６の合計開放時間を、低ベース状態のときよりも長くする開放時間延長制御である。なお、開放時間延長制御としては、１回の普通当り遊技における第１可変部材２６の開放回数を、低ベース状態のときよりも多くする制御、及び普通当り遊技における第１可変部材２６の１回の開放時間を、低ベース状態のときよりも長くする制御のうち、少なくとも一方の制御を行うとよい。また、高ベース状態は、次に説明する第４の制御を組み合わせて実現してもよい。４つ目の制御は、特別図柄変動ゲームの変動時間（例えば平均の変動時間）を、低ベース状態のときよりも短くなり易くする特別図柄の変動時間短縮制御である。特別図柄の変動時間短縮制御を行う場合、高ベース状態は、所謂「変動時間短縮状態」となる。
【００６８】
次に、パチンコ遊技機１０における大当りについて説明する。
この実施形態のパチンコ遊技機１０は、特別図柄の大当り図柄として、複数種類の大当り図柄を備えている。複数種類の大当り図柄には、それぞれ大当り遊技の種類が定められている。なお、複数種類の大当り図柄には、大当り遊技の終了後の遊技状態が定められていてもよい。即ち、この実施形態において、大当り図柄は、遊技者に付与する特典を定めた大当りの種類に相当する。
【００６９】
大当り遊技では、大当り遊技の開始を報知するオープニング演出が行われたのち、大入賞口２７を開放するラウンド遊技が行われる。ラウンド遊技は、予め定めた上限回数を上限として行われる。１回のラウンド遊技において、大入賞口２７は、予め定めた上限個数の遊技球が入賞する第１条件、又は予め定めた上限時間が経過する第２条件のうち何れかの条件が成立する迄の間にわたって開放される。ラウンド遊技では、所定の演出が行われる。そして、大当り遊技では、最終回のラウンド遊技が終了すると、大当り遊技の終了を報知するエンディング演出が行われる。大当り遊技は、エンディング演出の終了に伴って終了される。
【００７０】
次に、パチンコ遊技機１０の電気的構成について説明する。
図１１に示すように、パチンコ遊技機１０は、遊技盤１５の裏側に、主制御基板１００を備えている。主制御基板１００は、所定の処理を行い、該処理の結果に応じて制御情報としての制御信号（制御コマンド）を出力する。主制御基板１００は、主制御用ＣＰＵ１００ａと、主制御用ＲＯＭ１００ｂと、主制御用ＲＡＭ１００ｃと、を備えている。主制御用ＲＯＭ１００ｂは、主制御用のプログラムや、所定の抽選に用いられるテーブルや判定値などを記憶している。主制御用ＣＰＵ１００ａは、主制御用のプログラムを実行することにより、各種の処理を行う。
【００７１】
主制御基板１００は、情報表示部２２、センサＳＥ１〜ＳＥ４、及びアクチュエータＡ１，Ａ２と接続されている。主制御基板１００は、情報表示部２２やアクチュエータＡ１，Ａ２を駆動させたり、センサＳＥ１〜ＳＥ４から遊技球の検知信号を取り込んだりすることができる。
【００７２】
パチンコ遊技機１０は、遊技盤１５の裏側に、副制御基板２００を備えている。副制御基板２００は、主制御基板１００が出力する制御信号に基づき所定の処理を行う。副制御基板２００は、副制御用ＣＰＵ２００ａと、副制御用ＲＯＭ２００ｂと、副制御用ＲＡＭ２００ｃと、を備えている。副制御用ＲＯＭ２００ｂは、副制御用のプログラムや、抽選に用いられるテーブルや判定値などを記憶している。副制御用ＣＰＵ２００ａは、副制御用のプログラムを実行することにより、演出に関する処理を行う。
【００７３】
副制御基板２００は、スピーカ１８、装飾ランプ１９、及び演出表示装置２３と接続されている。例えば、副制御基板２００は、スピーカ１８による音声演出、装飾ランプ１９による発光演出、及び演出表示装置２３による表示演出を実行させるための処理を行う。副制御基板２００は、スピーカ１８、装飾ランプ１９、及び演出表示装置２３を駆動できる。
【００７４】
パチンコ遊技機１０は、遊技盤１５の裏側に、払出制御基板３００を備えている。払出制御基板３００は、主制御基板１００に接続されている。主制御基板１００と払出制御基板３００は、双方向に情報（制御信号）が送信されるように電気的に接続されている。払出制御基板３００は、主制御基板１００から送信される賞球の払出しを指示する払出情報をもとに払出ユニット７０を駆動させ、所定個数の賞球を払出す。
【００７５】
主制御基板１００から払出制御基板３００に送信される払出情報としての払出指定コマンド（払出信号）は、賞球払出しの対象となる入賞口へ入球したことにより、その入賞口に対応する賞球数を特定可能に構成されている。例えば、第１始動入賞口２４へ入球した場合の払出指定コマンドは賞球数として「３球」を特定可能に構成されている。なお、例えば、主制御基板１００において払出すべき賞球数を合算した賞球総数を管理している場合、払出指定コマンドは１球の賞球の払出しを指示するような構成とし、必要な回数分（賞球総数が零になるまで）、１球の賞球の払出しを指示する払出指定コマンドを払出制御基板３００に送信するようにしてもよい。
【００７６】
次に、主制御用ＣＰＵ１００ａが行う処理について説明する。
主制御用ＣＰＵ１００ａは、始動入賞口２４，２５に入賞した遊技球が始動センサＳＥ１，ＳＥ２により検知されたことを契機として乱数を取得するとともに、該乱数を用いて大当り抽選を行う。主制御用ＣＰＵ１００ａは、大当り抽選の結果に基づいて特別図柄表示部２２ａを制御し、特別ゲームを実行させる。主制御用ＣＰＵ１００ａは、大当り抽選に当選した場合、特別ゲームにおいて大当り図柄を導出させる一方で、大当り抽選に当選していない場合、特別ゲームにおいてはずれ図柄を導出させる。なお、主制御用ＣＰＵ１００ａは、大当り抽選に当選した場合には、特別ゲームにおいて導出させる大当り図柄を、乱数を用いた抽選により決定する。
【００７７】
主制御用ＣＰＵ１００ａは、大当り抽選に当選した場合、特別ゲームにおいて大当り図柄を導出させたのち、大当り遊技を付与する制御を行う。具体的に、主制御用ＣＰＵ１００ａは、ラウンド遊技において、所定時間を上限時間として大入賞口２７が開放されるように、第２アクチュエータＡ２を制御する。そして、主制御用ＣＰＵ１００ａは、予め定めた回数のラウンド遊技が終了した場合、大当り遊技を終了させる。なお、主制御用ＣＰＵ１００ａは、オープニング演出の実行を指示する制御情報や、エンディング演出の実行を指示する制御情報を生成し、副制御基板２００に出力してもよい。
【００７８】
次に、上記のように構成したパチンコ遊技機１０の作用について説明する。
図５に示すように、貯留部３０において、該貯留部３０に貯留されている遊技球は、底板３１の傾斜により、右端部３０ａ側から左端部３０ｄ側に向かって転動するとともに、前端部３０ｂ側から後端部３０ｃ側に向かって転動する。このため、貯留部３０を転動する遊技球は、後端部３０ｃ側に寄った状態で、左端部３０ｄから第１整流部４０の右端部４０ｃに流入する。
【００７９】
第１整流部４０の平面部４１ａにおいて、遊技球は、平面部４１ａの傾斜により、前端部４０ａ側から後端部４０ｂ側に向かって転動する。このため、第１整流部４０の平面部４１ａを転動する遊技球は、後端部４０ｂ側に設けられた第１通路４５（凹部４１ｂ）に流入する。そして、第１通路４５に流入した遊技球は、第１通路４５の底面（凹部４１ｂの底面４１ｃ）の傾斜により、右端部４０ｃ側から左端部４０ｄ側に向かって転動する。第１通路４５の前後方向の幅は、遊技球１球の直径よりも僅かに長い。このため、第１整流部４０において、遊技球は、第１通路４５に流入し、該第１通路４５を転動することにより、前後方向に２球以上並ばないように整流される。そして、第１通路４５を転動する遊技球は、左端部４０ｄから第２整流部５０の右端部５０ｃに流入する。
【００８０】
図６に示すように、第２整流部５０の第２通路５４において、遊技球は、底板５１の傾斜により、右端部５０ｃから左端部５０ｄに向かって転動する。第２整流部５０の第２通路５４の前後方向の幅は、遊技球１球の直径よりも僅かに長い。このため、第２通路５４を転動する遊技球は、前後方向に２球以上並ぶことなく転動する。
【００８１】
第２通路５４は、一部が屈曲している。このため、第２通路５４では、一方向に遊技球を転動させるだけでなく、遊技球の転動方向に変化を与えることができる。
図８に示すように、延出部８４が第１状態Ｊ１である場合、第２通路５４において、第１延出部８５の下面８５ｂは、第１延出部８５の先端部８５ｃから基端部８５ａに向かうにつれて、底板５１の底面５１ａとの距離が短くなるように傾斜している。さらに、第２通路５４において、第２延出部８６の下面８６ｂは、第２延出部８６の基端部８６ａから先端部８６ｃに向かうにつれて、底板５１の底面５１ａとの距離が短くなるように傾斜している。言い換えれば、第２通路５４では、遊技球の進行方向において、上流側から下流側に向かうにつれて、天井の高さが低くなる。ここで、第２延出部８６の先端部８６ｃと底板５１の底面５１ａとの距離は、遊技球１球の直径よりも僅かに長い。このため、第２通路５４を転動する遊技球は、左端部５０ｄに向かって転動するにつれて、上下方向に２球以上並ばないように整流される。
【００８２】
また、蓋部材８０の延出部８４は、軸部８３を支点として上下方向に変位可能である。このため、本実施形態では、第２通路５４の天井の高さを変化させることができる。特に、本実施形態の延出部８４は弾性部材である。このため、本実施形態では、パチンコ遊技機１０の管理者などが蓋部材８０の延出部８４を操作しなくとも、遊技球から加わる力などにより、延出部８４が変位して第２通路５４の天井の高さが変化することがある。
【００８３】
例えば、第２通路５４において遊技球が詰まってしまった場合、詰まった遊技球が、上流側から転動してくる遊技球に押されて、第２通路５４の天井である延出部８４に接触することがある。このとき、延出部８４は、遊技球から加わる力により底板５１の底面５１ａから離間する方向に変位することで、遊技球の詰まりが解消されることがある。
【００８４】
また、第２通路５４において遊技球が詰まってしまった場合に、遊技場の管理者などによって延出部８４を操作することで、詰まってしまった遊技球を底面５１ａに向かう方向に押し込み、遊技球の詰まりを解消できる。
【００８５】
本実施形態の延出部８４のうち、第１延出部８５と第２延出部８６とは、軸部８３から互いに逆方向に延びている。そして、軸部８３と、第１延出部８５と、第２延出部８６とは、一体の部材として構成されている。このため、第１延出部８５及び第２延出部８６のうち一方の延出部が所定方向に向かって変位された場合、他方の延出部は、軸部８３を支点として所定方向とは逆方向に向かって変位する。
【００８６】
本実施形態によれば、以下の効果を得ることができる。
（１）第２整流部５０の球通路内で遊技球が詰まった場合であっても、延出部８４の変位により第２通路５４の天井の高さが変化するため、遊技球の詰まりを解消し易くすることができる。
【００８７】
（２）延出部８４は、軸部８３を支点として変位するため、蓋部材８０全体を変位させなくても、遊技球の詰まりを解消することができる。したがって、より簡便に遊技球の詰まりを解消できる。
【００８８】
（３）延出部８４のうち第１延出部８５と第２延出部８６とは、軸部８３から互いに逆方向に延びている。これによれば、第１延出部８５と第２延出部８６の両方について、第２整流部５０の第２通路５４の天井の高さを変化させることができるため、より好適に遊技球の詰まりを解消できる。
【００８９】
（４）延出部８４は、第２整流部５０の底板５１の底面５１ａから離間する方向と、接近する方向と、の両方向に変位可能であるため、第２通路５４の天井の高さを高くすることと低くすることの両方が可能である。このため、より好適に遊技球の詰まりを解消できる。
【００９０】
（５）軸部８３及び延出部８４は弾性部材である。このため、延出部８４は、力が加わっているときには、第２整流部５０の球通路の天井の高さを変化させる一方で、延出部８４に加わっている力が取り除かれたときには、元の位置に戻る。このため、延出部８４を変位させた後に、延出部８４を元に戻す手間を低減できる。
【００９１】
（６）第２通路５４における前後方向の距離（遊技球の進行方向に対する幅）は、遊技球１球よりも僅かに長い距離であるため、遊技球が前後方向に２球以上並ぶことを抑制できる。このような場合には、遊技球が第２通路５４内で噛み合って詰まってしまうことも想定されるが、本実施形態によれば、延出部８４の変位により、遊技球の詰まりを解消できる。
【００９２】
（７）第１延出部８５及び第２延出部８６のうち一方の延出部が所定方向に変位した場合、他方の延出部は、軸部８３を支点として所定方向とは逆方向に変位する。これによれば、複数の延出部を連動させて変位させることができ、より好適に遊技球の詰まりを解消できる。
【００９３】
（８）第２通路５４では、遊技球の進行方向において、上流側から下流側に向かうにつれて、天井の高さが低くなる。これによれば、第２通路５４内において、遊技球が下流側に転動する過程で、遊技球が上下方向に２球以上並ばないように整列させることができる。このような場合には、遊技球が下流側に転動する過程で遊技球が詰まってしまうことも想定されるが、本実施形態によれば、延出部８４の変位により、遊技球の詰まりを解消できる。
【００９４】
（９）延出部８４は、第２通路５４に沿って延びている。このため、第２通路５４が屈曲している場合であっても、遊技球の詰まりを好適に解消できる。
（１０）第２通路５４は、屈曲している。これによれば、第２通路５４を遊技球の進行方向に延長することなく、第２通路５４の長さを長くすることができる。したがって、第２通路５４に流入できる遊技球の数を増やすことができる。
【００９５】
（１１）また、第２通路５４が屈曲しているため、一方向に遊技球が進行する通路である場合と比較して、遊技球が詰まってしまうことを抑制できる。
（１２）第１延出部８５において、前端部８５ｄ及び後端部８５ｆのうち基端部８５ａ側の上下方向の厚さは、先端部８５ｃ側の上下方向の厚さよりも厚い。このため、先端部８５ｃに力を加えて第１延出部８５を変位させるに際して、基端部８５ａ側の強度を高めることができる。
【００９６】
（１３）第２延出部８６は、第２通路５４の屈曲部５４ａに沿って延びている。このため、第２延出部８６は、屈曲した第２通路５４について、通路の上部から遊技球が溢れないようにすることができる。
【００９７】
（１４）第２延出部８６は、上面に、第２延出部８６の延出方向に沿って延びる溝８６ｅを有する。これによれば、第２延出部８６として単なる板状の部材を採用する場合と比較して、第２延出部８６の強度を強くすることができる。
【００９８】
（１５）蓋部材８０は、第２整流部５０の第１壁５２及び第２壁５３に取り付けられる部材であって、底板５１、第１壁５２、及び第２壁５３とは別体の部材である。このため、第２通路５４内で遊技球が詰まった場合に、蓋部材８０を取り外して遊技球の詰まりを解消することができる。
【００９９】
（１６）第２整流部５０の底板５１、第１壁５２、及び第２壁５３は、無色透明な部材である。このため、遊技場の管理者などは、第２通路５４内で発生した遊技球の詰まりを視認し易い。
【０１００】
（１７）また、貯留部３０の底板３１、第１壁３２、第２壁３３、第３壁３４は、無色透明な部材である。同様に、第１整流部４０の底板４１、第１壁４２、及び第２壁４３は、無色透明な部材である。更に、案内部６０の後壁６１、前壁６２、左側壁６３、及び右側壁６４は、無色透明な部材である。このため、遊技場の管理者などは、貯留部３０や第１整流部４０、案内部６０内で発生した遊技球の詰まりを視認し易い。
【０１０１】
（１８）蓋部材８０は、不透明な部材である。このため、遊技場の管理者などは、遊技球の詰まりを解消するために操作する延出部８４がどこにあるかを視認し易い。
（１９）蓋部材８０は、第２整流部５０の底板５１、第１壁５２、及び第２壁５３より滑り易い部材である。このため、延出部８４を変位させることで、延出部８４を詰まっている遊技球に接触させた場合に、遊技球の詰まりを解消し易い。
【０１０２】
（２０）貯留部３０の底板３１や第１整流部４０の底板４１、第２整流部５０の底板５１には、遊技球が通過しない大きさの貫通孔３１ａ，４１ｄ，５１ｂが設けられている。これによれば、遊技球が貯留部３０や第１整流部４０、第２整流部５０などからこぼれることを抑制しつつ、遊技球に付着した異物を貯留部３０や第１整流部４０、第２整流部５０の外に排出することができる。
【０１０３】
（２１）第２通路５４には、上流側よりも下流側の方が低い段差５５が設けられている。これによれば、第２通路５４において、下流側から上流側に遊技球が逆流することを抑制できる。
【０１０４】
（２２）また、段差５５では、上流側と下流側とで高さが異なるため、延出部８４を変位させて第２通路５４の天井の高さを変化させたときに、段差５５の上流側と下流側とで天井の高さが異ならされる。このため、より好適に遊技球の詰まりを解消できる。
【０１０５】
（２３）第１蓋取付部８１ａは、第１壁取付部５２ｃと係合するフック状の部材である。また、第３壁取付部５３ｃは、第３蓋取付部８２ａと係合するフック状の部材である。このため、蓋部材８０と、第１壁５２及び第２壁５３との取付け及び取外しを簡便にすることができる。
【０１０６】
（２４）更に、第２蓋取付部８１ｂ及び第１壁取付部５２ｃは、各取付部の中心を一致させた状態でネジ止めされることにより、蓋部材８０を第１壁５２に取付可能なネジ孔である。これによれば、取付け及び取外しが簡便な第１蓋取付部８１ａ、第３蓋取付部８２ａ、第１壁取付部５２ｃ、及び第３壁取付部５３ｃによって、蓋部材８０を第１壁５２及び第２壁５３に取り付けた後、第２蓋取付部８１ｂ及び第１壁取付部５２ｃにより、蓋部材８０を容易に第１壁５２から取り外せないようにすることができる。
【０１０７】
（２５）制限部材８７は、第２通路５４に突出する第１状態（制限状態）となることで、第２通路５４における遊技球の転動を制限することができる。これによれば、例えば、第２通路５４内で遊技球の詰まりが発生し、延出部８４の変位などにより遊技球の詰まりを解消した場合に、一斉に遊技球が転動し始めてしまうことを抑制できる。
【０１０８】
なお、上記実施形態は以下のように変更してもよい。
・制限部材８７の形状は、適宜変更してもよい。また、制限部材８７を備えていなくてもよい。
【０１０９】
・貫通孔５１ｂの形状は、適宜変更してもよく、遊技球が通過しない形状であればよい。また、貫通孔５１ｂを備えていなくてもよい。
・蓋部材８０と、第１壁５２及び第２壁５３とを取り付ける各取付部の形状は、適宜変更してもよい。
【０１１０】
・第２通路５４の形状は、適宜変更してもよい。例えば、屈曲部５４ａを有しない直線状としてもよい。
・第２通路５４の幅は、適宜変更してもよい。この場合、第１壁５２の内面５２ａと第２壁５３の内面５３ａとの距離を変更するとよい。例えば、第２通路５４の幅は、遊技球２球以上の幅としてもよい。
【０１１１】
・第２通路５４の高さは、適宜変更してもよい。この場合、第２整流部５０の底板５１と蓋部材８０の軸部８３及び延出部８４との距離を変更するとよい。例えば、第１延出部８５の先端部８５ｃにおける下面８５ｂと底板５１の底面５１ａとの距離を遊技球２球未満としてもよいし、遊技球３球以上としてもよい。また、第２延出部８６の先端部８６ｃにおける下面８６ｂと底板５１の底面５１ａとの距離を遊技球２球以上としてもよい。
【０１１２】
・第１延出部８５及び第２延出部８６は、互いに独立して変位するように構成されていてもよい。例えば、蓋部材８０は、複数の軸部を備え、第１延出部８５及び第２延出部８６は、互いに異なる軸部から延びる延出部としてもよい。これによれば、球詰まりが発生した位置に応じて所定の延出部を変位させた場合であっても、所定の延出部とは異なる延出部が変位されないため、球詰まりが発生した位置の天井の高さのみを変化させることができる。
【０１１３】
・溝８６ｅの数は、適宜変更してもよい、例えば、１本であってもよいし、３本以上であってもよい。また、溝８６ｅを設けなくてもよい。
・溝８６ｅは、第２延出部８６の下面８６ｂに設けられていてもよい。この場合、遊技球は、第２通路５４を通過するに際して、溝８６ｅに接触しながら転動することで、溝８６ｅの延びる方向に誘導される。これによれば、球詰まりを発生し難くできる。
【０１１４】
・蓋部材８０は、弾性部材でなくてもよい。
・貯留部３０や第１整流部４０、第２整流部５０、案内部６０の素材は、適宜変更してもよい。例えば、全てを同一の樹脂製としてもよいし、一部又は全部を金属製としてもよい。
【０１１５】
・延出部８４は、該延出部８４が変位していない第１状態Ｊ１から、底板５１の底面５１ａから離間する方向、及び底板５１の底面５１ａに接近する方向のうち何れかに変位可能であればよい。
【０１１６】
・延出部８４の数は適宜変更してもよい。例えば、第１延出部８５及び第２延出部８６のうち何れかを省略してもよいし、第１延出部８５及び第２延出部８６とは異なる延出部を備えてもよい。
【０１１７】
・延出部８４の形状は、適宜変更してもよい。例えば、延出部８４は、第２通路５４に沿っていなくてもよく、第２通路５４の少なくとも一部の上部に設けられていればよい。即ち、延出部８４は、第２通路５４の少なくとも一部において、天井を構成していればよい。
【０１１８】
・蓋部材８０の構成は適宜変更してもよい。例えば、軸部８３及び延出部８４に代えて、板状の天井部全体が一体となって上下方向に変位可能な構成としてもよい。
・第２整流部５０の底板５１、第１壁５２、及び第２壁５３と、蓋部材８０とは、別体でなくてもよく、一体に構成されていてもよい。
【０１１９】
・貯留部３０と第１整流部４０とは、一体に構成されていてもよいし、別体に構成されていてもよい。また、第１整流部４０と第２整流部５０とは、一体に構成されていてもよいし、別体に構成されていてもよい。更に、第２整流部５０と案内部６０とは、一体に構成されていてもよいし、別体に構成されていてもよい。
【０１２０】
・貯留部３０の構成は、適宜変更してもよい。例えば、平面視において長方形状でなくてもよい。また、貫通孔３１ａを備えていなくてもよい。
・第１整流部４０の構成は、適宜変更してもよい。例えば、凹部４１ｂを備えていなくてもよく、単に第１壁４２と第２壁４３の距離を右端部４０ｃ側から左端部４０ｄ側に向かうにつれて短くすることにより、遊技球を整流してもよい。また、貫通孔４１ｄを備えていなくてもよい。
【０１２１】
・案内部６０の構成は、適宜変更してもよい。例えば、案内部６０の第３通路６５は、左右方向に蛇行する形状でなくてもよく、直線状に遊技球を転動（落下）させる通路であってもよい。
【０１２２】
・蓋部材８０は、第２通路５４とは異なる通路の上部に設けられていてもよい。即ち、蓋部材８０の延出部８４は、第２通路５４とは異なる球通路の高さを変化可能であってもよい。例えば、蓋部材８０は、上皿２０の上部に設けられてもよい。この場合、蓋部材８０の延出部８４は、軸部８３を支点として変位することにより、上皿２０における球通路の高さを変化可能である。
【０１２３】
・１種類の確率状態を備えたパチンコ遊技機に具体化してもよい。即ち、大当り判定において肯定判定する確率を変動させる確率変動機能を備えていない遊技機に具体化してもよい。
【０１２４】
・１種類のベース状態を備えたパチンコ遊技機に具体化してもよい。即ち、第２始動入賞口２５への遊技球の入球率を向上させる入球率向上機能を備えていない遊技機に具体化してもよい。
【０１２５】
・特別ゲームは、演出表示装置２３にて表示してもよい。この場合、演出ゲームを表示しないようにしてもよい。
・パチンコ遊技機１０は、特別ゲームとして、第１特別図柄を導出する第１特別図柄変動ゲームと第２特別図柄を導出する第２特別図柄変動ゲームとを実行可能であってもよい。この場合、第１始動入賞口２４への遊技球の入球を契機に第１特別図柄変動ゲームを行い、第２始動入賞口２５への遊技球の入球を契機に、第２特別図柄変動ゲームを行うとよい。第１特別図柄変動ゲームと第２特別図柄変動ゲームとは、保留順に実行してもよく、交互に実行してもよい。
【０１２６】
・主制御基板１００の機能は、複数の基板に分割して実現してもよい。
・副制御基板２００の機能は、複数の基板に分割して実現されていてもよい。例えば、パチンコ遊技機１０は、演出表示装置２３を専門に制御する表示基板、スピーカ１８を専門に制御する音声基板、及び装飾ランプ１９を専門に制御するランプ基板を備えていてもよく、これらの基板群を統括的に制御する統括基板をさらに備えていてもよい。
【０１２７】
次に、上記実施形態及び別例から把握できる技術的思想を以下に追記する。
（イ）前記天井部は、弾性を有する弾性部材である。
（ロ）前記天井部の下面には、前記球通路が延びる方向に沿って延びる溝が設けられている。
【０１２８】
（ハ）前記球通路の一対の側壁間の距離は、遊技球１球分より長く、且つ遊技球２球分より短い。
（ニ）前記天井部は、前記第１可動部及び前記第２可動部のうち一方の可動部が所定方向に変位することで、他方の可動部が前記所定方向とは逆方向に変位するように構成されている。
【０１２９】
（ホ）前記第１可動部は、前記第２可動部よりも前記球通路の上流側に位置しており、前記天井部が前記第１状態である場合において、前記第２可動部と前記底部との距離は、前記第１可動部と前記底部との距離よりも短い。
【０１３０】
（ヘ）前記球通路は、屈曲部を備えており、前記天井部は、前記屈曲部に沿って延びている。
【符号の説明】
【０１３１】
３０…球タンク（貯留部）、４０…第１整流部、５０…第２整流部、５１…底板（底部）、５１ａ…底面、５２…第１壁（側壁）、５３…第２壁（側壁）、５４…第２通路（球通路）、５４ａ…屈曲部、８０…蓋部材、８３…軸部（天井部）、８４…延出部（天井部、可動部）、８５…第１延出部（第１可動部）、８５ｂ…下面（所定部位）、８６…第２延出部（第２可動部）、８６ｂ…下面（所定部位）、８６ｅ…溝。
【図１】
2018057747.tif 000003
【図２】
2018057747.tif 000004
【図３】
2018057747.tif 000005
【図４】
2018057747.tif 000006
【図５】
2018057747.tif 000007
【図６】
2018057747.tif 000008
【図７】
2018057747.tif 000009
【図８】
2018057747.tif 000010
【図９】
2018057747.tif 000011
【図１０】
2018057747.tif 000012
【図１１】
2018057747.tif 000013